(57)【要約】【課題】  エラストマーを素材として用いたネジ栓開栓器具を対象として、開栓前のキャップの嵌入時に内部に空気が溜まってキャップ嵌入作業の抵抗となることなく、かつ、開栓後のキャップの取り外し時に内部に真空状態が形成されてキャップ取り出し作業の抵抗となることがなく、開栓作業時に開栓状態が確認できるネジ栓開栓器具を提供すること。【解決手段】  ネジ栓を嵌入させる筒状壁１と、前記筒状壁１の軸方向の一端の開口部を覆う天井部２とをエラストマーを素材として一体的に成形したネジ栓開栓器具であって、前記筒状壁１の軸方向の他端の開口周縁壁に、周方向の長さの４分の１から２分の１、軸方向の長さの４分の１から２分の１の大きさのカット部３を形成してあり、前記天井部２に穴４を形成してある構成としたこと。【選択図】        図１
2005306404.tif 000002
【特許請求の範囲】
【請求項１】
ネジ栓を嵌入させる筒状壁(1)と、前記筒状壁(1)の軸方向の一端の開口部を覆う天井部(2)とをエラストマーを素材として一体的に成形したネジ栓開栓器具であって、前記筒状壁(1)の軸方向の他端の開口周縁壁に、周方向の長さの４分の１から２分の１、軸方向の長さの４分の１から２分の１の大きさのカット部(3)を形成してあり、前記天井部(2)に穴(4)を形成してあることを特徴とするネジ栓開栓器具。
【請求項２】
ネジ栓を嵌入させる円錐筒状壁(1a)と、前記円錐筒状壁(1a)の小径側の開口部を覆う天井部(2)とをエラストマーを素材として一体的に成形したネジ栓開栓器具であって、前記円錐筒状壁(1a)の大径側の開口周縁壁に、周方向の長さの４分の１から２分の１、軸方向の長さの４分の１から２分の１の大きさのカット部(3)を形成してあり、前記天井部(2)に穴(4)を形成してあることを特徴とするネジ栓開栓器具。
【発明の詳細な説明】
【技術分野】
【０００１】
本発明は、ペットボトルや清涼飲料水のビンや健康ドリンク剤のビン等のネジ栓式のキャップを取り外すのに使用するエラストマーを素材とするネジ栓開栓器具に関するものである。
【背景技術】
【０００２】
この種のキャップは、内容物を密封するために閉栓方向に固くしめられている場合がある。また、不正開封防止のために、キャップとキャップの下端の開口縁にヒレ状の突片を介して連結されたリング体とから構成され、キャップを開栓方向にねじることにより、キャップとリング体とを連結するヒレ状の突片が切断されるタイプのものが存在する。また、不正開封防止のために、アルミ等の金属製のネジキャップの一種で、キャップとキャップの下端の開口縁にミシン目を介して連結された連結条とから構成され、キャップを開栓方向にねじることにより、キャップと連結条とを連結するミシン目が切断され、連結条が螺旋状に伸びながらキャップとともに外れるタイプのものが存在する。
【０００３】
これらのタイプのキャップを素手で開栓するには、最初の開栓時に、キャップに対して開栓方向に一定以上の力を加える必要があり、力の弱い人にとっては苦労を強いられる。また、キャップと連結条から構成される金属製のネジキャップでは、最初の開栓時に勢い余って、キャップの開口縁や螺旋状に伸びながら外れた連結条で手を損傷する虞がある。
【０００４】
そこで、これらの解決手段として、特開２００３−２９２０９３号公報には、可撓性を有する高摩擦材からなり、筒状の小径部と、この小径部と一体に連なる筒状の大径部とを有しているキャップオープナー（以下器具Ａとする）が開示され、公知になっている。また、特開２００２−１６６９５０号公報には、ボトルの瓶口に設けられたキャップ本体とリング体に渡る部分の外周の全体を覆うことが可能な筒状に形成されたキャップ取外し用保護装置（以下器具Ｂとする）であって、ポリオレフィン系樹脂等の適度な粘着性および密着性を有する合成樹脂で形成されている例が開示され、公知になっている。これらは、いずれも弾性に富むいわゆるエラストマーを素材として用いており、キャップとの密着性がよく、高摩擦力を有するので、小さな力でキャップを開栓することができるという利点がある。
【特許文献１】特開２００３−２９２０９３号公報
【特許文献２】特開２００２−１６６９５０号公報
【発明の開示】
【発明が解決しようとする課題】
【０００５】
しかしながら、同時にこれらの従来技術は、一般的な略円筒状壁のネジ栓のキャップを開栓することを想定し、弾性に富み、キャップとの密着性のよいエラストマーを素材として、器具Ａあるいは器具Ｂを円筒あるいは円錐筒状に形成しているがゆえに、キャップを器具Ａあるいは器具Ｂに嵌入させるときに、キャップが器具Ａあるいは器具Ｂに密着されながら嵌入していくので、器具Ａあるいは器具Ｂ内のキャップの嵌入方向の空間の空気の逃げ場がなく、内部に空気が溜まってキャップ嵌入作業の抵抗となる。また、キャップを開栓した後に器具Ａあるいは器具Ｂ内からキャップを取り出すときに、キャップが器具Ａあるいは器具Ｂに密着しているので取り出しにくく、また、キャップが器具Ａあるいは器具Ｂに密着されながら取り出されることになるので、器具Ａあるいは器具Ｂ内でキャップを取り出し方向に移動させた後の空間が真空状態となり、キャップ取り出し作業の抵抗となる。
【０００６】
さらに、器具Ａあるいは器具Ｂは、キャップを完全に覆うことができる形状で形成されているので、開栓時にキャップの開口縁や螺旋状に伸びながら外れた連結条で手を損傷することがないという利点はあるものの、開栓作業時にキャップの外れ具合が確認しづらいものである。
【０００７】
そこで、本発明は、エラストマーを素材として用いたネジ栓開栓器具を対象として、開栓前のキャップの嵌入時に内部に空気が溜まってキャップ嵌入作業の抵抗となることなく、かつ、開栓後のキャップの取り外し時に内部に真空状態が形成されてキャップ取り出し作業の抵抗となることがなく、開栓作業時に開栓状態が確認できるネジ栓開栓器具を提供するものである。
【課題を解決するための手段】
【０００８】
この課題を解決するために講じた本発明の構成を、実施例を示す図面に使用した符号を用いて説明すると、本発明のネジ栓開栓器具は、ネジ栓を嵌入させる筒状壁１と、前記筒状壁１の軸方向の一端の開口部を覆う天井部２とをエラストマーを素材として一体的に成形したネジ栓開栓器具であって、前記筒状壁１の軸方向の他端の開口周縁壁に、周方向の長さの４分の１から２分の１、軸方向の長さの４分の１から２分の１の大きさのカット部３を形成してあり、前記天井部２に穴４を形成してある構成としたものである。
【発明の効果】
【０００９】
本発明のネジ栓開栓器具によれば、ネジ栓を嵌入させる筒状壁と、筒状壁の軸方向の一端の開口部を覆う天井部とをエラストマーを素材として一体的に成形し、天井部に穴を形成してある構成としているから、開栓前にキャップを器具に嵌入させる際に、キャップが器具に密着されながら嵌入していっても、器具内の空気は天井部の穴を通って外部に流出していくので、キャップの嵌入方向の空間に空気が溜まってキャップの嵌入方向への移動の抵抗となることなく、スムーズにキャップを器具内に嵌入させることができる。また、開栓後にキャップを器具から取り出す際に、キャップが器具に密着されながら取り出されても、天井部の穴を通って空気が外部から流入するので、キャップを取り出し方向への移動させた後の空間が真空状態になってキャップの取り出し方向への移動の抵抗となることがなく、スムーズにキャップを取り出すことができ、必要に応じ穴に指を入れてキャップを押し出してキャップを取り出すこともできる。
【００１０】
また、ネジ栓を嵌入させる筒状壁と、筒状壁の軸方向の一端の開口部を覆う天井部とをエラストマーを素材として一体的に成形し、筒状壁の軸方向の他端の開口周縁壁に、周方向の長さの４分の１から２分の１、軸方向の長さの４分の１から２分の１の大きさのカット部を形成してある構成としているから、開栓時にカットされた部分から開栓状態を確認することができるものでありながら、カットされないで残った周方向の長さの２分の１から４分の３の大きさの開口周縁壁の部分が、キャップの開口縁やキャップの下端の開口縁に連結されたリング体や螺旋条を覆っているので、指を損傷することがなく安全にキャップを開栓することができる。
【発明を実施するための最良の形態】
【００１１】
本発明のネジ栓開栓器具を実施するにあたって、筒状壁１は、円錐筒状壁１ａ、円筒状壁１ｂ、楕円筒状壁、楕円円錐筒状壁、方形筒状壁、方形錐筒状壁、多角形筒状壁、多角形錐筒状壁等、様々な形態が考えられるが、一般的な略円筒状壁のネジ栓のキャップを対象とすると、これとの密着性を大きくしてより小さい力で開栓することができる点から円錐筒状壁１ａ、円筒状壁１ｂが好ましく、そのうち、筒状壁１を円筒状壁１ｂとして実施、詳しくは、ネジ栓を嵌入させる円錐筒状壁１ａと、前記円錐筒状壁１ａの小径側の開口部を覆う天井部２とをエラストマーを素材として一体的に成形したネジ栓開栓器具であって、前記円錐筒状壁１ａの大径側の開口周縁壁に、周方向の長さの４分の１から２分の１、軸方向の長さの４分の１から２分の１の大きさのカット部３を形成してあり、前記天井部２に穴４を形成してある構成として実施すると、筒状壁１が円錐筒状壁１ａであり、天井部から開口部に向けて円形断面の径を漸次大きく形成してあるので、前述の効果に加えて、さらに、径の大きい開口部を介してキャップを器具の中に嵌入させやすい。また、開栓対象のキャップの径に幅を持たせることができ、すなわち、開栓対象のキャップの径が比較的小径である場合は、キャップが器具の小径部分で密着し、キャップを器具に深く嵌入させた状態で開栓することになり、開栓対象のキャップの径が比較的大径である場合は、キャップが器具の大径部分で密着し、キャップが器具に浅く嵌入した状態で開栓することになり、キャップの径の大小にかかわらず、器具をキャップに密着させて小さな力で容易に開栓することができる。もちろん、筒状壁１は、多角形状のキャップを対象とするときは、多角形筒状壁、多角形錐筒状壁等として実施すればよい。なお、一般的な略円筒状壁のキャップを対象として、筒状壁１を楕円筒状壁、楕円円錐筒状壁、方形筒状壁、方形錐筒状壁、多角形筒状壁、多角形錐筒状壁等として実施すると、一般的な略円筒状壁のキャップと器具の間に非密着部分の間隙ができ、一般的な略円筒状壁のキャップとの密着性は小さくなるものの、キャップと器具の非密着部分の間隙を空気の流通孔とすることができるという利点はある。
【００１２】
天井部２に形成される穴４は、円形、方形、多角形等、いろいろな形状で実施することができるが、筒状壁１のうち天井部２が形成された部分の周縁壁の形状を保持することができるような大きさで実施するのが好ましく、さらに指を挿入できるような大きさで形成するとより好ましい。
【００１３】
筒状壁１の開口周縁壁に形成されるカット部３は、大きさは、周方向の長さの４分の１から２分の１、軸方向の長さの４分の１から２分の１の範囲で、形状は任意の形状で実施することができるが、器具全体のサイズを使用対象のキャップに応じたサイズとしたうえで、カット部３から開栓状態が確認できて、かつ、開口部周縁壁のカットされずに残った部分でキャップの開口縁やキャップの下端の開口縁に連結されたリング体や螺旋条があれば、それらも覆って、安全に開栓できるという効果が得られるような大きさ、形状で実施することができる。
【００１４】
素材は、弾性に富み、キャップとの密着性、高摩擦性に優れたエラストマーを用いており、スチレン系、ポリエステル系、オレフィン系等を用いて実施することができる。
【実施例】
【００１５】
以下、本発明の実施例を図示例と共に説明する。図１および図２は本願発明の第１実施例を示す図であって、図１は斜視図、図２は正面図、図３は側面図、図４は使用状態を示す斜視図を示す。
【００１６】
該第１実施例のネジ栓開栓器具は、各種エラストマーの中でも最も優れたゴム弾性・柔軟性を示すスチレン系熱可塑性エラストマーの一つであるラバロンを用いて、筒状壁１の一例として円錐筒状壁１ａと、円形の平板状の天井部２とを一体的に成形してある。
【００１７】
円錐筒状壁１ａは、小径側を円形の平板状の天井部２で覆う構成とし、大径側を開口部として、天井部２が形成された側から開口部側に向かって断面円形の径が漸次大きくなっており、天井部２側の最も小径の部分の内径が２６ｍｍ、開口部側の最も大径の部分の内径が３０ｍｍに形成してある。そして、周方向の長さの約２分の１、軸方向の長さの約２分の１（図２の正面図でみて軸方向の長さ３０ｍｍのうち、下端から１３ｍｍ）の大きさで、図２において正面視長方形状にカット部３が形成してある。
【００１８】
天井部２は、前述したように円形の平板状に形成されており、円錐筒状壁１ａの小径側を覆い、天井部２の円形と同心の円形の穴４が形成されてある。
【００１９】
なお、本実施例のネジ栓開栓器具は、軸方向の長さが３０ｍｍ、上端の小径側の外径は３０ｍｍ、下端の大径側の外径は３４ｍｍ、厚み２ｍｍ、穴４の径は１０ｍｍ、前述したように、上端の小径側の内径が２６ｍｍ、大径側の内径が３０ｍｍで形成されているが、これらは使用対象のキャップに応じて適宜変更して実施できるものである。
【００２０】
使用方法は、図４に示すように、ペットボトルＢのキャップＰの開栓を１例として示す。ネジ栓開栓器具の大径側の開口部から小径側の天井部２に向かって、キャップＰの外周側面に適度に密着締め付け力がかかるところまで、キャップＰを嵌入させる。円錐筒状壁１ａを握り、カット部３から開栓状態を確認しながら、開栓方向にひねって開栓する。開栓の仕方に関しては、キャップＰをネジ栓開栓器具に嵌入させた状態からネジ栓開栓器具を開栓方向にひねって完全に開栓した後に穴４に指を入れてキャップＰをネジ栓開栓器具から落として取り外してもよいし、キャップＰをネジ栓開栓器具に嵌入させた状態から開栓方向にひねってキャップＰが固く締められた状態を解除し、キャップＰがペットボトルＢに螺着されたままの状態で、ネジ栓開栓器具を上に上げながら穴４に指を入れてキャップＰを押してネジ栓開栓器具を取り外した後に、手でキャップＰを開栓方向にひねって完全開栓させてもよいし、その他の方法でもよい。何れにせよ、固く締められた閉栓状態のキャップＰを、手を損傷することなく、小さな力で容易に解放して、開栓状態にすることができる。
【００２１】
図５乃至７は、本願第２実施例のネジ栓開栓器具を示す図であって、前記第１実施例において説明した筒状壁１を円筒状壁１ｂとし、該円筒状壁１ｂの軸方向の一端の開口部を円形の平板状の天井部２で覆う構造としている。そしてカット部３を、その最大幅が周方向の長さの２分の１、軸方向の長さの２分の１である、図６において正面視で逆Ｖ字型の形状に形成し、天井部２に形成された穴４を正六角形の形状として実施している。その他の構造、使用方法については、前記第１実施例におけるネジ栓開栓器具と同様である。
【００２２】
以上本発明の代表例と思われる実施例について説明したが、本発明のネジ栓開栓器具は、上述の実施例にのみ限定されるものではなく、例えば、ネジ栓開栓器具サイズは使用対象となるキャップのサイズを考慮して適宜のサイズで実施すればよく、その他本発明にいう前記の構成要件を備え、かつ本発明にいう目的を達成し、本発明にいう効果を有する範囲内において適宜改変して実施することができるものである。
【産業上の利用可能性】
【００２３】
本発明のネジ栓開栓器具は、エラストマーを素材とするネジ栓開栓器具であって、固く締められたキャップを小さい力で容易にかつ安全に取り外すことができるものでありながら、ネジ栓開栓器具へのキャップの嵌入、取り外しが容易であるという従来エラストマーを素材とするネジ栓開栓器具にはない効果が得られる器具として販売される予定である。
【図面の簡単な説明】
【００２４】
【図１】第１実施例の斜視図。
【図２】第１実施例の正面図。
【図３】第１実施例の側面図。
【図４】第１実施例の使用状態を示す斜視図。
【図５】第２実施例の斜視図。
【図６】第２実施例の正面図。
【図７】第２実施例の側面図。
【符号の説明】
【００２５】
１  筒状壁
１ａ  円錐筒状壁
１ｂ  円筒状壁
２  天井部
３  カット部
４  穴
Ｐ  キャップ
Ｂ  ペットボトル
【図１】
2005306404.tif 000003
【図２】
2005306404.tif 000004
【図３】
2005306404.tif 000005
【図４】
2005306404.tif 000006
【図５】
2005306404.tif 000007
【図６】
2005306404.tif 000008
【図７】
2005306404.tif 000009